(57)【要約】【課題】レンズのマウント部分を簡素化したカメラシステムを提供する。【解決手段】本発明のカメラシステム（１００）は、カメラ（１）に装着可能であり、その装着に用いられるレンズ側爪部（１２）、及び該カメラ（１）との通信に用いられるレンズ側接点（２３）を有するレンズ鏡筒（２）と、前記レンズ側爪部（１２）が係合するカメラ側爪部（１１）、及び該カメラ側爪部（１１）と前記レンズ側爪部（１２）とが係合した状態で前記レンズ鏡筒（２）と前記カメラ（１）との間の締結が強くなる方向に前記レンズ鏡筒（２）を付勢する付勢部材（３０）を有し、該レンズ鏡筒（２）がバヨネット方式で装着されるカメラ（１）と、を備えるカメラシステム（１００）において、前記付勢部材（３０）は、前記レンズ側接点（２３）と接続するカメラ側接点（３０）を含むこと、を特徴とする。【選択図】図１
2010049174.tif 000002
【特許請求の範囲】
【請求項１】
カメラに装着可能であり、その装着に用いられるレンズ側爪部、及び該カメラとの通信に用いられるレンズ側接点を有するレンズ鏡筒と、
前記レンズ側爪部が係合するカメラ側爪部、及び該カメラ側爪部と前記レンズ側爪部とが係合した状態で前記レンズ鏡筒と前記カメラとの間の締結が強くなる方向に前記レンズ鏡筒を付勢する付勢部材を有し、該レンズ鏡筒がバヨネット方式で装着されるカメラと、
を備えるカメラシステムにおいて、
前記付勢部材は、前記レンズ側接点と接続するカメラ側接点を含むこと、
を特徴とするカメラシステム。
【請求項２】
請求項１に記載のカメラシステムであって、
前記付勢部材は、前記レンズ鏡筒を前記カメラから離れる方向に付勢すること、
を特徴とするカメラシステム。
【請求項３】
請求項１又は２に記載のカメラシステムであって、
前記付勢部材は、カメラ側マウント部において光軸を中心とした円周方向に均等な間隔で複数配置され、そのうちの少なくとも１つが前記カメラ側接点であること、
を特徴とするカメラシステム。
【請求項４】
請求項３に記載のカメラシステムであって、
前記円周方向に配置された複数の付勢部材は、均等な圧力でレンズ鏡筒を付勢すること、
を特徴とするカメラシステム。
【請求項５】
請求項３又は４に記載のカメラシステムであって、
前記円周方向に複数配置された前記付勢部材のうちの２以上が前記カメラ側接点をそれぞれ含み、
前記付勢部材毎に、その上に設けられている前記カメラ側接点の機能が異なること、
を特徴とするカメラシステム。
【請求項６】
請求項５に記載のカメラシステムであって、
前記カメラ側接点の数が前記付勢部材間で異なるときには、少ない数の方の付勢力を他方よりも上げること、
を特徴とするカメラシステム。
【請求項７】
請求項１〜６のいずれか１項に記載のカメラシステムであって、
前記カメラは、カメラ側マウント部において光軸を中心とした円輪状のカメラ側端面を備え、
前記カメラ側爪部は、前記カメラ側端面の外周側と連続するとともに光軸に沿って延びる面から、前記カメラ側端面と平行に光軸に向かって延び、該カメラ側端面の外周部との間に間隙を形成し、
前記付勢部材は、前記カメラ側端面における該間隙が設けられている部分に配置されていること、を特徴とするカメラシステムである。
【請求項８】
請求項１〜６のいずれか１項に記載のカメラシステムであって、
前記カメラは、カメラ側マウント部において光軸を中心とした円輪状のカメラ側端面を備え、
前記カメラ側爪部は、前記カメラ側端面の外周側と連続するとともに光軸に沿って延びる面から、前記カメラ側端面と平行に光軸に向かって延び、該カメラ側端面の外周部との間に間隙を形成し、
前記付勢部材は、前記カメラ側端面における前記間隙が設けられている部分以外の部分に配置されていること、
を特徴とするカメラシステム。
【請求項９】
請求項１〜８のいずれか１項に記載のカメラシステムであって、
前記カメラ側接点は、一端がカメラ側に固定されたコイルばねの他端が接続されたピンであること、
を特徴とするカメラシステム。
【請求項１０】
請求項１〜８のいずれか１項に記載のカメラシステムであって、
前記カメラ側接点は、板ばねであること、
を特徴とするカメラシステム。
【請求項１１】
レンズ鏡筒に設けられたレンズ側爪部が係合するカメラ側爪部を有し、該カメラ側爪部と前記レンズ側爪部とが係合した状態で前記レンズ鏡筒との間の締結が強くなる方向に前記レンズ鏡筒を付勢する付勢部材を有し、該レンズ鏡筒とバヨネット方式で装着されるカメラにおいて、
前記付勢部材は、前記レンズ鏡筒に設けられたレンズ側接点と接続するカメラ側接点を含むこと、
を特徴とするカメラ。
【請求項１２】
請求項１１に記載のカメラであって、
前記付勢部材は、前記レンズ鏡筒を前記カメラから離れる方向に付勢すること、
を特徴とするカメラ。
【請求項１３】
請求項１１又は１２に記載のカメラであって、
前記付勢部材は、カメラ側マウント部において光軸を中心とした円周方向に均等な間隔で複数配置され、そのうちの少なくとも１つが前記カメラ側接点であること、
を特徴とするカメラ。
【請求項１４】
請求項１３に記載のカメラであって、
前記円周方向に配置された複数の付勢部材は、均等な圧力でレンズ鏡筒を付勢すること、
を特徴とするカメラ。
【請求項１５】
請求項１３又は１４に記載のカメラであって、
前記円周方向に複数配置された前記付勢部材のうちの２以上が前記カメラ側接点をそれぞれ含み、
前記付勢部材毎に、その上に設けられている前記カメラ側接点の機能が異なること、
を特徴とするカメラ。
【請求項１６】
請求項１５に記載のカメラシステムであって、
前記カメラ側接点の数が前記付勢部材間で異なるときには、少ない数の方の付勢力を他方よりも上げること、
を特徴とするカメラ。
【請求項１７】
請求項１１〜１６のいずれか１項に記載のカメラであって、
カメラ側マウント部において光軸を中心とした円輪状のカメラ側端面を備え、
前記カメラ側爪部は、前記カメラ側端面の外周側と連続するとともに光軸に沿って延びる面から、前記カメラ側端面と平行に光軸に向かって延び、該カメラ側端面の外周部との間に間隙を形成し、
前記付勢部材は、前記カメラ側端面における該間隙が設けられている部分に配置されていること、を特徴とするカメラ。
【請求項１８】
請求項１１〜１６のいずれか１項に記載のカメラであって、
カメラ側マウント部において光軸を中心とした円輪状のカメラ側端面を備え、
前記カメラ側爪部は、前記カメラ側端面の外周側と連続するとともに光軸に沿って延びる面から、前記カメラ側端面と平行に光軸に向かって延び、該カメラ側端面の外周部との間に間隙を形成し、
前記付勢部材は、前記カメラ側端面における前記間隙が設けられている部分以外の部分に配置されていること、
を特徴とするカメラ。
【請求項１９】
請求項１１〜１８のいずれか１項に記載のカメラであって、
前記カメラ側接点は、一端がカメラ側に固定されたコイルばねの他端が接続されたピンであること、
を特徴とするカメラ。
【請求項２０】
請求項１１〜１８のいずれか１項に記載のカメラであって、
前記カメラ側接点は、板ばねであること、
を特徴とするカメラ。
【発明の詳細な説明】
【技術分野】
【０００１】
本発明は、カメラシステム及びカメラに関するものである。
【背景技術】
【０００２】
従来、レンズ交換式カメラでは、バヨネット方式によってカメラボディに交換レンズを装着している。そして、カメラのマウント部分には、カメラボディと交換レンズとの間のがたつきを防止するための付勢ばねと、レンズ鏡筒との通信を行うための接点が設けられている（例えば、特許文献１参照）。
【特許文献１】特公平７−３４０５４１号公報
【発明の開示】
【発明が解決しようとする課題】
【０００３】
しかし、カメラのマウント部分に付勢ばね及び接点を配置するためには、ある程度のスペースが必要であり、また、構造も複雑となる。
【０００４】
本発明の課題は、カメラのマウント部分の構造をより簡単にするとともにスペース効率が向上したカメラシステム及びカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、カメラ（１）に装着可能であり、その装着に用いられるレンズ側爪部（１２）、及び該カメラ（１）との通信に用いられるレンズ側接点（２３）を有するレンズ鏡筒（２）と、前記レンズ側爪部（１２）が係合するカメラ側爪部（１１）、及び該カメラ側爪部（１１）と前記レンズ側爪部（１２）とが係合した状態で前記レンズ鏡筒（２）と前記カメラ（１）との間の締結が強くなる方向に前記レンズ鏡筒（２）を付勢する付勢部材（３０）を有し、該レンズ鏡筒（２）がバヨネット方式で装着されるカメラ（１）と、を備えるカメラシステム（１００）において、前記付勢部材（３０）は、前記レンズ側接点（２３）と接続するカメラ側接点（３０）を含むこと、を特徴とするカメラシステム（１００）である。
請求項２に記載の発明は、請求項１に記載のカメラシステム（１００）であって、前記付勢部材（３０）は、前記レンズ鏡筒（２）を前記カメラ（１）から離れる方向に付勢すること、を特徴とするカメラシステム（１００）である。
請求項３に記載の発明は、請求項１又は２に記載のカメラシステム（１００）であって、前記付勢部材（３０）は、カメラ側マウント部（４）において光軸を中心とした円周方向に均等な間隔で複数配置され、そのうちの少なくとも１つが前記カメラ側接点（３０）であること、を特徴とするカメラシステム（１００）である。
請求項４に記載の発明は、請求項３に記載のカメラシステム（１００）であって、前記円周方向に配置された複数の付勢部材（３０）は、均等な圧力でレンズ鏡筒（２）を付勢すること、を特徴とするカメラシステム（１００）である。
請求項５に記載の発明は、請求項３又は４に記載のカメラシステム（１００）であって、前記円周方向に複数配置された前記付勢部材（３０）のうちの２以上が前記カメラ側接点（３０）をそれぞれ含み、前記付勢部材（３０）毎に、その上に設けられている前記カメラ側接点（３０）の機能が異なること、を特徴とするカメラシステム（１００）である。
請求項６に記載の発明は、請求項５に記載のカメラシステム（１００）であって、前記カメラ側接点（３０）の数が、前記付勢部材（３０）間で異なるときには、少ない数の方の付勢力を他方よりも上げること、を特徴とするカメラシステム（１００）である。
請求項７に記載の発明は、請求項１〜６のいずれか１項に記載のカメラシステム（１００）であって、前記カメラ（１）は、カメラ側マウント部（４）において光軸を中心とした円輪状のカメラ側端面（１５）を備え、前記カメラ側爪部（１１）は、前記カメラ側端面（１５）の外周側と連続するとともに光軸に沿って延びる面（１７）から、前記カメラ側端面（１５）と平行に光軸（Ａ）に向かって延び、前記カメラ側端面（１５）の外周部との間に間隙（１４）を形成し、前記付勢部材（３０）は、前記カメラ側端面（１５）における該間隙（１４）が設けられている部分に配置されていること、を特徴とするカメラシステム（１００）である。
請求項８に記載の発明は、請求項１〜６のいずれか１項に記載のカメラシステム（１００）であって、前記カメラ（１）は、カメラ側マウント部（４）において光軸を中心とした円輪状のカメラ側端面（１５）を備え、前記カメラ側爪部（１１）は、前記カメラ側端面（１５）の外周側と連続するとともに光軸に沿って延びる面（１７）から、前記カメラ側端面（１５）と平行に光軸（Ａ）に向かって延び、前記カメラ側端面（１５）の外周部との間に間隙（１４）を形成し、前記付勢部材（３０）は、前記カメラ側端面（１５）における前記間隙が設けられている部分以外の部分に配置されていること、を特徴とするカメラシステム（１００）である。
請求項に記載９の発明は、請求項１〜８のいずれか１項に記載のカメラシステム（１００）であって、前記カメラ側接点（３０）は、一端側がカメラ（１）に固定されたコイルばね（３２）の他端側が接続されたピン（３１）であることを特徴とするカメラシステム（１００）である。
請求項１０に記載の発明は、請求項１〜８のいずれか１項に記載のカメラシステム（１００）であって、前記カメラ側接点（３０）は、板ばね（３６）であること、を特徴とするカメラシステム（１００）である。
請求項１１に記載の発明は、レンズ鏡筒（２）に設けられたレンズ側爪部（１２）が係合するカメラ側爪部（１１）を有し、該カメラ側爪部（１１）と前記レンズ側爪部（１２）とが係合した状態で前記レンズ鏡筒（２）との間の締結が強くなる方向に前記レンズ鏡筒（２）を付勢する付勢部材（３０）を有し、該レンズ鏡筒（２）とバヨネット方式で装着されるカメラ（１）において、前記付勢部材（３０）は、前記レンズ鏡筒（２）に設けられたレンズ側接点（２３）と接続するカメラ側接点（３０）を含むこと、を特徴とするカメラ（１）である。
請求項１２に記載の発明は、請求項１１に記載のカメラ（１）であって、前記付勢部材（３０）は、前記レンズ鏡筒（２）を前記カメラ（１）から離れる方向に付勢すること、を特徴とするカメラ（１）である。
請求項１３に記載の発明は、請求項１１又は１２に記載のカメラ（１）であって、前記付勢部材（３０）は、カメラ側マウント部（４）において光軸を中心とした円周方向に均等な間隔で複数配置され、そのうちの少なくとも１つが前記カメラ側接点（３０）であること、を特徴とするカメラ（１）である。
請求項１４に記載の発明は、請求項１３に記載のカメラ（１）であって、前記円周方向に配置された複数の付勢部材（３０）は、均等な圧力でレンズ鏡筒（２）を付勢すること、を特徴とするカメラ（１）である。
請求項１５に記載の発明は、請求項１３又は１４に記載のカメラ（１）であって、前記円周方向に複数配置された前記付勢部材（３０）のうちの２以上が前記カメラ側接点（３０）をそれぞれ含み、前記付勢部材（３０）毎に、その上に設けられている前記カメラ側接点（３０）の機能が異なること、を特徴とするカメラ（１）である。
請求項１６に記載の発明は、請求項１５に記載のカメラシステム（１００）であって、前記接点の数が、前記付勢部材（３０）間で異なるときには、少ない数の方の付勢力を他方よりも上げること、を特徴とするカメラ（１）である。
請求項１７に記載の発明は、請求項１１〜１６のいずれか１項に記載のカメラ（１）であって、カメラ側マウント部（４）において光軸を中心とした円輪状のカメラ側端面（１５）を備え、前記カメラ側爪部（１１）は、前記カメラ側爪部（１１）は、前記カメラ側端面（１５）の外周側と連続するとともに光軸に沿って延びる面（１７）から、前記カメラ側端面（１５）と平行に光軸（Ａ）に向かって延び、前記カメラ側端面（１５）の外周部との間に間隙（１４）を形成し、前記付勢部材（３０）は、前記カメラ側端面（１５）における該間隙（１４）が設けられている部分に配置されていること、を特徴とするカメラ（１）である。
請求項１８に記載の発明は、請求項１１〜１６のいずれか１項に記載のカメラ（１）であって、カメラ側マウント部（４）において光軸を中心とした円輪状のカメラ側端面（１５）を備え、前記カメラ側爪部（１１）は、前記カメラ側爪部（１１）は、前記カメラ側端面（１５）の外周側と連続するとともに光軸に沿って延びる面（１７）から、前記カメラ側端面（１５）と平行に光軸（Ａ）に向かって延び、前記カメラ側端面（１５）の外周部との間に間隙（１４）を形成し、前記付勢部材（３０）は、前記カメラ側端面（１５）における前記間隙が設けられている部分以外の部分に配置されていること、を特徴とするカメラ（１）である。
請求項１９に記載の発明は、請求項１１〜１８のいずれか１項に記載のカメラ（１）であって、前記カメラ側接点（３０）は、一端がカメラ（１）側に固定されたコイルばね（３２）の他端が接続されたピン（３１）であることを特徴とするカメラ（１）である。
請求項２０に記載の発明は、請求項１１〜１８のいずれか１項に記載のカメラ（１）であって、前記カメラ側接点（３０）は、板ばね（３６）であること、を特徴とするカメラ（１）である。
なお、符号を付して説明した構成は、適宜改良してもよく、また、少なくとも一部を他の構成物に代替してもよい。
【発明の効果】
【０００７】
本発明によれば、カメラのマウント部分の構造をより簡単にするとともにスペース効率が向上したカメラシステム及びカメラを提供することができる。
【発明を実施するための最良の形態】
【０００８】
以下、図面等を参照して、本発明の実施形態について説明する。なお、以下に示す図において、説明と理解を容易にするために、適宜ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
（第１実施形態）
図１は、第１実施形態におけるレンズ交換式のカメラシステム１００を示す。カメラシステム１００は、カメラ１と、カメラ１に対して着脱自在なレンズ鏡筒２とを備える。
【００１０】
カメラ１は筐体３、カメラ側マウント部４、撮像ユニット５、表示装置６等を備えている。筐体３はカメラ１の外側を覆う部分であり、その外面にはレリーズスイッチ７や図示しない電源スイッチ等の各種操作スイッチが設けられている。
【００１１】
撮像ユニット５は撮像素子５ａと、撮像素子５ａよりも被写体側に位置する光学ローパスフィルタ５ｂとを備えている。撮像素子５ａはレンズ鏡筒２を介して被写体が露光されることにより被写体光を電気信号に変換して出力する。光学ローパスフィルタ５ｂは撮像素子５ａの入射面に対向して配置されることにより、撮像素子の結像面に結像される被写体像にモアレ等が発生することを防止する。
【００１２】
表示装置６は筐体３の背面部に表示画面が露出して設けられた液晶パネルを含む。表示装置６は撮影済みの画像や各種設定を行うためのメニュー画面が表示可能となっている。
【００１３】
カメラ側マウント部４は、レンズ鏡筒２が着脱自在に接続される部分であり、筐体３の正面側（Ｚプラス側）に設けられている。カメラ側マウント部４は、レンズ鏡筒２の装着に用いられるカメラ側爪部１１を備えている。カメラ側爪部１１はレンズ鏡筒２に設けられているレンズ側爪部１２と係合してレンズ鏡筒２との装着状態を保持する。
【００１４】
レンズ鏡筒２は、撮影レンズ２０を保持するレンズ保持枠２１と、レンズ側マウント部２２と、レンズ側接点２３とを備えている。撮影レンズ２０は複数のレンズ群を含み（図中１つのレンズのみ図示）、これらのレンズ群が光軸Ａ方向に移動し、撮影画角の変更やフォーカシング動作が行われる。
【００１５】
レンズ側マウント部２２はカメラ１への装着方向先端部に設けられており、カメラ側爪部１１と係合するレンズ側爪部１２を有している。レンズ側爪部１２の近傍には、レンズ側接点２３が設けられている。レンズ側接点２３は、後述するカメラ側接点としても機能する付勢部材３０が接触することにより付勢部材３０と電気的に接続されるものであり、付勢部材３０との接続によってレンズ鏡筒２とカメラ１との間で通信やデータの送受信が可能となり、さらにはカメラ１からの電力供給が可能となる。
【００１６】
レンズ鏡筒２はバヨネット方式によってカメラ１に装着される。図２はカメラ側マウント部４のカメラ側端面１５、図３はレンズ側マウント部２２のレンズ側端面１６示している。カメラ側端面１５は、光軸Ａを中心とした円輪状となっている。
【００１７】
３つのカメラ側爪部１１（１１ａ，１１ｂ，１１ｃ）が、カメラ側マウント部４において、光軸Ａを中心とした円周方向に均等な間隔で形成されている。このカメラ側爪部１１ａ，１１ｂ，１１ｃは、カメラ側端面１５の外周側から光軸に沿って延びる側面１７より、カメラ側端面１５と平行に光軸Ａに向かって延びてカメラ側端面１５の外周部との間に間隙１４を形成している。この間隙１４には、レンズ側爪部１２が挿入可能となっている。
【００１８】
レンズ側マウント部２２は図３に示すように、光軸Ａを中心とした円輪状となっており、その外周部分には、３つのレンズ側爪部１２（１２ａ，１２ｂ，１２ｃ）が突出するように形成されている。レンズ側爪部１２ａ，１２ｂ，１２ｃはカメラ側爪部１１ａ，１１ｂ，１１ｃと同様に円周方向に均等に配置されている。レンズ側マウント部２２をカメラ側マウント部４に突き合わせ、この突き合わせ状態でレンズ鏡筒２を回転させることにより、レンズ側爪部１２ａ，１２ｂ，１２ｃがカメラ側マウント部４におけるカメラ側端面１５とカメラ側爪部１１ａ，１１ｂ，１１ｃとの間の間隙１４に挿入され、この挿入によってレンズ鏡筒２のカメラ１への装着が行われる。そしてカメラ１とレンズ鏡筒２とが装着された際の、カメラ１とレンズ鏡筒２との間のがたつきを防ぐため、付勢部材３０（３０ａ，３０ｂ，３０ｃ）がカメラ側マウント部４に配置されている。
【００１９】
図１に示すように、付勢部材３０は導電性のピン３１と、ピン３１がレンズ鏡筒２の方向に突出するように付勢するコイルばね３２と、ピン３１及びコイルばね３２をカメラ側端面１５に取り付けるための押さえ板３３とを備えて形成されている。このコイルばね３２によって付勢されたピン３１は、間隙１４に挿入されたレンズ側爪部１２ａ，１２ｂ，１２ｃと当接し、レンズ側爪部１２ａ，１２ｂ，１２ｃをカメラ側爪部１１ａ，１１ｂ，１１ｃに押し付ける。これによって、付勢部材３０はレンズ鏡筒２をカメラ１から離れる方向に付勢する。この押し付けによってレンズ側爪部１２ａ，１２ｂ，１２ｃとカメラ側爪部１１ａ，１１ｂ，１１ｃとの間の締結が強まり、カメラ１にレンズ鏡筒２を装着する際のがたつきが防止される。
【００２０】
付勢部材３０は、上述のレンズ側接点２３ａ，２３ｂ，２３ｃと対応してレンズ側接点２３ａ，２３ｂ，２３ｃと同数設けられる。この実施形態において、図３に示すようにレンズ側接点２３ａ，２３ｂ，２３ｃはそれぞれのレンズ側爪部１２ａ，１２ｂ，１２ｃの内周側に配置され、それぞれのレンズ側接点２３ａ，２３ｂ，２３ｃは４つの接点部が横並び状に集合されて形成されている。一方、図２に示すように、付勢部材３０ａ，３０ｂ，３０ｃは、各カメラ側爪部１１ａ，１１ｂ，１１ｃの内周側に配置されている。そして、各付勢部材３０ａ，３０ｂ，３０ｃは、それぞれのレンズ側接点２３ａ，２３ｂ，２３ｃと同様に４つの接点部が横並び状に集合している。
【００２１】
複数の付勢部材３０ａ，３０ｂ，３０ｃは、それぞれが均等な圧力でレンズ鏡筒２を付勢することが好ましい。例えば、接点部の集合体となっている各付勢部材３０ａ，３０ｂ，３０ｃは個々に１０〜１００ｇ／ｃｍ２程度の均等の圧力でレンズ側接点２３ａ，２３ｂ，２３ｃを押し付けるように設定されている。均等な圧力とすることにより信号の送受信や電力の供給を安定して行うことができる。このため、例えば、カメラ側の接点部の数が付勢部材３０ａ，３０ｂ，３０ｃ間で異なるときには、少ない数の方の付勢力を他方よりも上げて、接点部の集合体としての付勢部材３０ａ，３０ｂ，３０ｃを、均等な圧力でレンズ鏡筒２を付勢するようにする。
【００２２】
それぞれのレンズ側接点２３ａ，２３ｂ，２３ｃの各接点部はレンズ側フレキシブル配線基板２５を介してレンズ側制御基板２６に接続されており、カメラ１側のそれぞれの付勢部材３０ａ，３０ｂ，３０ｃの各ピン３１はカメラ側フレキシブル配線基板２７を介してカメラ側制御基板２８に接続されている。
【００２３】
ここで、複数のレンズ側接点２３ａ，２３ｂ，２３ｃ及び複数の付勢部材３０ａ，３０ｂ，３０ｃにおいては、以下のような設定が可能である。
（１）レンズ側接点２３ａ及びこれに対応した付勢部材３０ａを電力供給用とし、他のレンズ側接点２３ｂ、２３ｃ及びこれに対応した付勢部材３０ｂ、３０ｃを信号送受信用として区分けする。
【００２４】
（２）レンズ側接点２３ａ及びこれに対応した付勢部材３０ａを強電流供給用とし、レンズ側接点２３ｂ及びこれに対応した付勢部材３０ｂを中電流供給用とし、レンズ側接点２３ｃ及びこれに対応した付勢部材３０ｃを弱電流供給用として区分けする。
【００２５】
（３）一群となっている複数の付勢部材３０ａ，３０ｂ，３０ｃのうち、１つの群又は２つの群の付勢部材をレンズ側接点２３との電気的な接続を行う構造とし、２つの群又は１つの群の付勢部材を単に付勢用とする。
【００２６】
（４）図４は、レンズ鏡筒２をカメラ１に対して回転させて装着させる際の接点同士の接続を示した図である。レンズ鏡筒２をカメラ１に対して回転させて装着させる際、レンズ鏡筒２側のレンズ側接点２３のうちの、装着における回転時に先頭になる接点２３−１と、カメラ１側の複数のピン３１における、回転時に先頭になるピン３１−１とが、まず接触する。例えば、この、先頭になる接点２３−１とピン３１−１との接触によりレンズ鏡筒２が正規のレンズ鏡筒であるか否かを認証する。認証の結果、正規のレンズ鏡筒である場合には、その他のレンズ側接点と付勢部材との接触によってレンズ鏡筒２とカメラ１とを電気的に接続する。正規のレンズ鏡筒でない場合には、その他のレンズ側接点２３ａと付勢部材との電気的な接続を無効とする。これにより、正規のレンズ鏡筒だけが装着されるため、不適格に起因した故障を防止することができる。
【００２７】
以上、本実施形態によると、以下の効果を有する。
（１）コイルばね３２で付勢された導電性のピン３１を有する付勢部材３０ａ，３０ｂ，３０ｃを、レンズ鏡筒２のレンズ側接点２３ａ，２３ｂ，２３ｃに当接させることにより、コイルばね３２の付勢力によってレンズ鏡筒２をカメラ１に対してがたつきなく装着させることができる。それとともにレンズ鏡筒２とカメラ１との電気的な接続も行うことができる。このため、付勢部材と電気接点とを別々に設ける必要がなく、カメラのマウント部分の構造をより簡単にするとともにスペース効率が向上させることができる。
（２）複数の付勢部材３０ａ，３０ｂ，３０ｃの付勢力を均等の圧力とすることによりレンズ鏡筒２とカメラ１との電気的な接続が安定する。
【００２８】
（第２実施形態）
図５及び図６は、本発明の第２実施形態を示す。この実施形態では、付勢部材として、全体が導電性金属によって形成された板ばね３６を用いる。板ばね３６は図６に示すように、櫛歯状となっており、複数のばね片３６ｂを有している。それぞれのばね片３６ｂは図５に示すように、先端部分が自由端となってカメラ１の筐体３から突出する方向の弾性力が付与されている。ばね片３６には、凸部３６ａが形成されており、凸部３６ａがカメラ１の筐体３に形成された開口部３７よりレンズ鏡筒２のレンズ側接点２３に臨んでいる。
【００２９】
この構造では、レンズ鏡筒２をカメラ１に装着すると、板ばね３６の凸部３６ａがレンズ側爪部１２に弾性的に当接するため、レンズ鏡筒２を付勢することができ、これと同時に、導電性の板ばね３６がレンズ側接点２３に接触するため、レンズ鏡筒２とカメラ１との電気的な接続を行うことができる。
【００３０】
（変形形態）
以上、説明した実施形態に限定されることなく、以下に示すような種々の変形や変更が可能であり、それらも本発明の範囲内である。
【００３１】
（１）図７は、第１実施形態の変形形態を示す。図７の形態においては、付勢部材３０は、カメラ側端面１５における間隙１４が設けられている部分に配置されている。このような取り付け構造とすることにより、レンズ鏡筒２を装着していない状態において、付勢部材３０がカメラ側爪部１１に隠蔽されるため、レンズ鏡筒２を装着しない状態での接点の保護が可能となる。
【００３２】
（２）図８は、第１実施形態の他の変形形態を示す。図８の形態においては、カメラ側爪部１１の外側に付勢部材３０が取り付けられる。付勢部材３０が筐体３の外側に近い部分に配置されるため、付勢部材３０の取り付けが容易となる。
（３）本実施形態では、レンズ側接点２３を複数の接点部の集合体としたが、これに限らず、単一の接点としてもよい。
（４）本実施形態では、付勢部材３０をピン３１とコイルばね３２との組付構造としたが、導電性のコイルばねだけとしてもよい。
なお、実施形態及び変形形態は、適宜組み合わせて用いることもできるが、詳細な説明は省略する。また、本発明は以上説明した実施形態によって限定されることはない。
【図面の簡単な説明】
【００３３】
【図１】本発明の第１実施形態のカメラシステムを示す断面図である。
【図２】カメラ側マウント部を示す正面図である。
【図３】レンズ側マウント部を示す正面図である。
【図４】レンズ鏡筒をカメラに対して回転させて装着させる際の接点同士の接続を示した図である。
【図５】付勢部材として板ばねを用いた構造を示した第２実施形態の断面図である。
【図６】第２実施形態の板ばねの概略図である。
【図７】第１実施形態の変形形態のマウント部の断面図である。
【図８】第１実施形態の別の変形形態のマウント部の断面図である。
【符号の説明】
【００３４】
１：カメラ、２：レンズ鏡筒、４：カメラ側マウント部、１１：カメラ側爪部、１２：レンズ側爪部、１４：間隙、１５：カメラ側端面、２２：レンズ側マウント部、２３：レンズ側接点、３０：付勢部材、３１：ピン、３５：板ばね
【図１】
2010049174.tif 000003
【図２】
2010049174.tif 000004
【図３】
2010049174.tif 000005
【図４】
2010049174.tif 000006
【図５】
2010049174.tif 000007
【図６】
2010049174.tif 000008
【図７】
2010049174.tif 000009
【図８】
2010049174.tif 000010